(57)【要約】【課題】複数回の粘着、剥離が容易なカード型シールとこれを用いたカード発送方法を提供する。【解決手段】裏面に印刷が施されたカードの下層部に、少なくとも二段階の粘着、剥離が可能な貼着層を設け、複数回の粘着、剥離を行なってカードを取得できるようにした。【選択図】　　　図１
2004050633.tif 000002
【特許請求の範囲】
【請求項１】
裏面に印刷が施されたカードの下層部に少なくとも二段階の粘着、剥離が可能な複数の貼着層を設けたことを特徴とするカード型シール。
【請求項２】
前記カードは手の平サイズであることを特徴とする請求項１記載のカード型シール。
【請求項３】
前記カードの下層に設けられた複数の貼着層の間にはラミフィルム層が介在していることを特徴とする請求項１又は請求項２記載のカード型シール。
【請求項４】
葉書の所定の個所にお届け用又は送り付用カードを剥離可能に設けたカード型シールを貼着した後、受取人に送付し、受取人が前記カードを葉書から剥離することにより、カードを取得することを特徴とするカード送付方法。
【請求項５】
葉書の表側を二段に分けたカード貼着部を設け、一方のカード貼着部に受取人の住所氏名を記録したカードを剥離可能に貼着し、他方の貼着部にカード印刷面が裏になるようにしたカード型シールを剥離可能に貼着することを特徴とする請求項４に記載のカード送付方法。
【発明の詳細な説明】
【０００１】
【発明の属する技術分野】
本発明は、カード型シール及びそれを用いたカード送付方法に関する。
【０００２】
【従来の技術】
各種カードとして、メンバーズカード、ポイントカード、クーポンカード、シークレットカード、景品交換チケット、入場券、招待券、優待券、保証書、個別管理カード、整理カード、各種ノベルティなどが挙げられる。従来、これらのカードの表面には印刷が施され、ラミネートした状態になっており、このカードを受取人宛てに送付する場合に、封筒を用いていた。また、入場券、招待券及び優待券などは、人数や予算、あるいは日割り等の情報を得るために、往復葉書を使用したり、返信用の封筒を同封したりしていた。
【０００３】
しかしながら、封筒、往復葉書及び返信用の封筒を使用した場合には、通常の葉書に比べて送料が高くなり、郵便の数が多い場合には、相当の負担金となる。特に往復葉書の場合には、返信がないときでも往復料金が必要であり、このような場合には、往復料金が無駄になるという問題がある。また、封筒を用いて、カード類を発送する場合には、手作業に依存することが多く、人件費と手間がかかるという問題がある。
【０００４】
【発明が解決しようとする課題】
本発明は、カード類等の直接発送を可能にすることにより、送料を安くすると共に、往復葉書においては、往復料金の無駄を省き、かつ、自動化を可能にして、人件費と手間を少なくしたカード送付方法及びそれに用いられるカード型シールを提供する。
【０００５】
【課題を解決するための手段】
上記課題を解決するための第１の発明は、裏面に印刷が施されたカードの下層部に少なくとも二段階の粘着、剥離が行える複数の貼着層を設けたカード型シールである。このシールは、第１の貼着層を介して剥離した後、第２の貼着層を介して台紙等に貼着した後、これからカードを剥離するという使用が可能である。
【０００６】
上記課題を解決するための第二の発明は、送るべきカードを含むカード型シールを葉書に剥離可能に貼着して発送し、受取人がこのカードを剥離することにより所望のカードを入手するようにしたカード送付方法である。これによって、葉書１枚にてカードを送ることが可能となる。
【０００７】
【発明の実施の形態】
本発明のカード型シールの一実施形態を図面を用いて説明する。
【０００８】
このカード型シールは、全体が財布や定期入れ等に収納可能な大きさ（手の平サイズ）、例えば一般的に使用されるプリペイドカードやクレジットカードの如きの大きさの縦、横幅と、厚みを有するものである。
【０００９】
構造としては、図１に示すように、上から下に向って順次、表裏に印刷が施されるカードベース原紙Ａ１層１、のり粘着剤Ａ２層２、透明ラミフィルム（ラミネートフィルムの略）Ａ３層３、透明ラミフィルムＢ３層４、のり粘着剤Ｂ２層５、剥離台紙（クラフト紙の片面にポリエチレンラミネートし、その上にシリコーン処理を施したもの）Ｂ１層６が積層されている。通常はカード原紙の裏面に、例えばプリペイドカードとしての機能を有する印刷面が施される。
【００１０】
実際には図２に示すように、上段のＡ１層、Ａ２層、Ａ３層が一体化されたＡ層と、下段のＢ３層、Ｂ２層、Ｂ１層が一体化されたＢ層とが圧着面７を介して積層された構造となっている。この圧着面からＡ層とＢ層とが剥離可能になっている。
【００１１】
次に、図３及び図４をも参照して前記カード型シールの使用例を説明する。
【００１２】
先ず、最下部の剥離台紙６から、のり粘着剤Ｂ２層の上の層を剥離し、図３に示すように、葉書等の台紙１１に貼付する。この結果、のり粘着剤Ｂ２層の粘着力によって、Ｂ層、Ａ層が一体化された層が葉書上に貼付される。
【００１３】
次に、Ａ層に外力を加えて剥がすと、圧着面７のところからＢ層とＡ層が剥がされて、図４に示すように、Ａ層のみが取り出されることになる。このとき、葉書上にはＢ層の透明ラミフィルムＢ３層が残っているので、表面に粘着力が作用することはない。また、カードベース原紙Ａ１の下面には透明ラミフィルムＡ３が付いているので、このＡ層にも粘着力が作用することはない。
【００１４】
従って、カードベース原紙Ａ１の裏面に例えばメンバーズカード等としての機能を有する券面印刷をしておけば、カードとして利用でき、財布や定期入れ等に保管しておくことが可能になる。
【００１５】
また、前記カードの券面印刷としては、メンバーズカード、ポイントカード、クーポンカード、景品交換チケット、入場券、招待券、優待券、等の他に保証書等の券面を印刷したものを用いることができる。
【００１６】
次に、前記カード型シールを用いたカード送付方法の実施の形態について説明する。図５において、この実施の形態は、葉書１１に郵便番号１２及び切手貼着部１３を印刷した通常の形態の葉書１１の所定の個所に、カード貼着部１４を設けている。そして、このカード貼着部１４に、前記カード型シール２１を貼着する。すなわち、図３に示すように、剥離台紙６から剥離したＡ層とＢ層が圧着面を介して圧着されたカード２１を貼着する（図３の構造）。そして、通常の葉書と同様に、宛名の欄に受取人の住所氏名を記載して、発送する。この葉書を受け取った受取人は、このカード２１を剥離することにより、カード２１を取得する。具体的には、図４に示すカード２１のＡ層のみを剥離すると、裏面に透明ラミフィルムが施されたカードを取得することができる。このカードの裏面にメンバーズカードやポイントカード等の券面を印刷しておけば、そのままカードとして使用できる。従って、発送人はカード貼着部１４にカード２１を貼着するだけでよく、かつ、送料は葉書一枚相当の送料ですむ。尚、前記貼着部１４の下面の注記欄１７に「このシールを剥がすとカードになります」等の注記を印刷し、また、この貼着部１４の上面の注記欄２５には「このカードは、お財布にしまえる便利なカードとなります。」等の注記を印刷しておくことが好ましい。
【００１７】
次に、図６に示す実施の形態は、葉書１１の表側を二段に分けて剥離可能なカード貼着部１４，１８を設け、カード貼着部１８に受取人の住所氏名欄２０に受取人の住所氏名を記録したカード１９を、カード貼着部１４に、裏面にカードとして利用できる券面を印刷したカード２１を貼着する（図３の構造）。この実施の形態の場合は、発送元の住所欄２２への発送元の住所氏名の記録を省いてもよい。この葉書を受け取った受け取り人は、このカード２１を剥離することにより、カード２１を取得する（図４の構造）。これにより、発送人はカード貼着部１４にカード２１を貼着するだけでよく、かつ、送料は葉書一枚相当の送料ですむ。
【００１８】
又、前記実施の形態とは別に、カード１９の貼着面側（裏面）に、カードとして利用できる券面を印刷しておけば、あて先とカード機能を兼用することができ、下段のカード貼着部１４にカードを貼着せずにカードを送ることが可能となる。なお、図６において、貼着部１８の下面の注記欄１６には、「この宛名シールを剥がすと返信用葉書になります。」等の注記を印刷しておく。また、下段の注記欄１７には、「このシールを剥がすとカードになります」等の注記を印刷しておく。
【００１９】
次に、図６において、往復葉書として使用する場合に、葉書１には、切手貼着部１３、郵便番号１２及び発送元の住所氏名欄２２を含み、カード貼着部１８を設け、この貼着部１８に重なるように、切手貼着部１３、郵便番号１２及び受取人の住所氏名欄２０を含むカード１９を貼着する。そして、この葉書を受け取った受取人が、カード１９を剥がすことにより、発送元の郵便番号１２及び発送元の住所氏名欄２２が現れるので、そのまま往復葉書として使用することができる。また、受取人の意思により、往復葉書として使用しないときは、往復葉書送料ではなく、通常の葉書の送料一枚分だけで済む。この結果、発送人はカード貼着部１８にカード１９を貼着するだけでよく、封筒にカードを入れるような手間はなく、発送の手間を少なくすることができる。
【００２０】
また、カード１９の表側に受取人の郵便番号１２、住所氏名欄２０に受取人の住所氏名を、カード１９の貼着面側にカードとして利用できる券面、例えば結婚式招待状の整理券として、あるいは入場券や優待券の個人識別などを記録したカード１９として、カード貼着部１８に貼着する。このように、あて先とカード機能を兼用することができ、カード貼着部１４にカードを貼着する手間を更に省略することができる。
【００２１】
また、葉書１１のカード貼着部１８に重なるように、切手貼着部１３、郵便番号１２及び受取人の住所氏名欄２０を含むカード１９を貼着し、カード貼着部１４にカード券面を印刷したカード２１を貼着する。この場合も、カード貼着部にカードを貼着すればよいので、発送の手間を軽減すると共に、郵送料は葉書一枚分の郵送料で済む。又、葉書１１における切手貼着部１３に、料金別納あるいは後納郵便と記録することにより、料金の支払い元を指定し、切手の貼着の手間を省くこともできる。
【００２２】
図６に示すカード２１には、カードとして利用できる券面と、例えばバーコード１５などにより個人を特定する識別機能を記録することにより、万が一郵送途中でカードが剥離し、紛失した場合でも、そのカードの悪用を防止するようにする。また、カード２１が招待状等の場合には、会場の入口でバーコードリーダを利用して、出席者の確認をすることができる。
【００２３】
【発明の効果】
以上のような第１の発明であるカード型シールによれば、裏面に印刷が施されたカードの下層部に少なくとも二階層の粘着、剥離が可能な複数の貼着層を設けたので、複数段階の粘着、剥離を行なうことができるカードを得ることができる。
【００２４】
また上記のような第２の発明であるカード送付方法によれば、送るべきカードを葉書に剥離可能に貼着するだけでカードを送付することができるので、従来のように封筒に入れて送る手間を省くことができ、また郵送料も節約することができる。
【００２５】
さらに、両発明において共通の効果としての特徴は、手の平に入るサイズのカードを使用しているので、入手したカードを財布や定期入れ等に保管しておくことができるので、メンバーズカード、ポイントカード、クーポンカード等として保管が容易であり、また、招待券や保証書等では持ち歩くのが容易であるため紛失や忘却等のおそれがなくなるという利点を有している。
【図面の簡単な説明】
【図１】本発明のカード型シールの分解斜視図である。
【図２】本発明のカード型シールの構造断面図である。
【図３】本発明のカード型シールを剥離台紙から剥離した状態を示す構造断面図である。
【図４】本発明のカード型シールを圧着面から剥離した状態を示す構造断面図である。
【図５】本発明のカード発送方法を説明するための分解斜視図である。
【図６】本発明のカード発送方法の別の実施形態を説明するための分解斜視図である。
【符号の説明】
１…カードベース原紙
２…のり粘着剤層
３…透明ラミフィルム
４…透明ラミフィルム
５…のり粘着剤層
６…剥離台紙
７…圧着面
１１…葉書
１４…カード貼着部
１８…カード貼着部
２０…カード
２１…カード
【図１】
2004050633.tif 000003
【図２】
2004050633.tif 000004
【図３】
2004050633.tif 000005
【図４】
2004050633.tif 000006
【図５】
2004050633.tif 000007
【図６】
2004050633.tif 000008